(57)【要約】【課題】高周波信号をノイズなしに明瞭に伝送する信号調整装置を提供する。【解決手段】信号調整装置は、回路板２を備え、回路板２の上下表面には複数の伝送回路２１が配置され、伝送回路２１の一側は高周波コネクタ１と接続され、高周波コネクタ１の反対側はケーブル３と接続され、ケーブル３内には複数の伝送ケーブル３１が設置され、各伝送ケーブル３１は信号ケーブル３１１とアースケーブル３１２とを備えている。さらに信号調整装置は、複数のフィルタ装置４を備え、フィルタ装置４には並列接続された抵抗４１とコンデンサ４２とが設置され、各フィルタ装置４はケーブル３内の信号ケーブル３１１と接続された伝送回路２１と接続されている。【選択図】  図２
0003112509.tif 000002
【実用新案登録請求の範囲】
【請求項１】
上下表面に複数の伝送回路が配置された回路板、該伝送回路の一側は高周波コネクタと電気的に接続され、高周波コネクタの反対端側は複数の伝送ケーブルが設置されたケーブルと電気的に接続されると共に、各伝送ケーブルには信号ケーブルとアースケーブルとを備えてなる構成において、
前記ケーブル内の信号ケーブルと接続された伝送回路と電気的に接続されたフィルタ装置を備えてなり、該フィルタ装置は並列接続された抵抗とコンデンサとが設置されていることを特徴とする信号調整装置。
【請求項２】
前記高周波コネクタは、テレビと接続されることを特徴とする請求項１記載の信号調整装置。
【考案の詳細な説明】
【技術分野】
【０００１】
本考案は、信号調整装置に関し、特にコネクタとケーブルとの間に接続される回路板のフィルタ装置に関し、フィルタ装置上には並列接続された抵抗とコンデンサとが設けられ、並列接続された抵抗およびコンデンサはコネクタとケーブルとの間のインピーダンスを調整し、電圧レベルを減衰させることによって、高周波レベルと低周波レベルとを一致させ、さらに、並列接続された抵抗およびコンデンサがケーブルの容量に合わせてそのインピーダンスを調整することによってケーブルの伝送距離を増加させても、インピーダンス整合を達成する。
【背景技術】
【０００２】
最近音声信号や映像信号を応用した分野においては大きな進歩発展があり、例えば映像音楽ディスク、デジタル化された多機能ディスク、高解析度デジタルテレビ、映像音楽再生機能付き電話およびテレビ会議設備などが我々の生活に浸透し、従来技術と比較して、これらの新しいシステムの特徴はオールデジタル化の方式で音声や映像のデータ処理がなされている点であり、異なる領域への応用を通じて、関連する標準規格も次々と制定されたり、より完璧なものに改善されたりしており、使用者がよりよい品質を享受できるように、関連業者もデジタル信号伝送の帯域幅を増加させ、良い画質と音質とを提供している。
【０００３】
しかし、システム作業率の増加と電子製品の微小化に伴い、コネクタの端子も微小化され、それに応じて高周波信号ノイズも大きくなっている。ノイズの発生は通常インピーダンスが整合していないことが関係しており、インピーダンスに影響を与える原因にはケーブルの幅、材質の厚さ、銅メッキの厚さ、材質の誘電率、半田マスクおよびエッチファクターなどがあり、もっとも大きな影響を与えるものとしてクロストークノイズの問題がある。クロストークノイズの発生は、動態信号（可変電圧電流とも呼ばれる）によって発生する電磁波が近隣の信号ケーブルを干渉することによるものであり、高周波の場合にはこの現象はさらにひどく、二つの信号間のクロストークノイズはその間の互換性と相互インダクタンス値に基づいており、一般的に、デジタル処理において、インダクタンスのメカニズムによって発生するクロストークノイズの問題は電気容量のメカニズムによって発生する問題よりも重大であり、クロストークノイズによって、ａ  等価特性インピーダンスの変動、ｂ  伝播速度の変化、ｃ  信号の完全性の低下、ｄ  ノイズマージンの低下、などが引き起こされる。
【０００４】
この他、ケーブルもクロストークノイズに影響を与える重要な要素であり、信号をより遠くの場所まで伝送するためにはケーブルの長さを長くする必要があるが、ケーブルの優劣には差があり、ケーブルが長くなるとクロストークノイズも大きくなり、好適なケーブルに交換する場合、非常に多くのコストが掛かってしまい、全体的な効果も十分なものが得られない。
【０００５】
初期のブラウン管ディスプレイは、画質に優れ、価格が安いということから長い間テレビとコンピュータのモニターに採用されてきたが、現在は薄膜トランジスタディスプレイ（ＴＦＴ  ＬＣＤ）、プラズマディスプレイ（ＰＤＰ）などに取って代わられている。薄膜トランジスタディスプレイ（ＴＦＴ  ＬＣＤ）にしても、プラズマディスプレイ（ＰＤＰ）にしても、さらに優れた画質を表示するために開発されたものであり、より良い画質を表示させるために業者はデジタル化の方式によって映像のノイズを処理し、画質が良くなればなるほど必要とされる帯域幅も大きくなり、クロストークノイズもそれに応じて増加するので、クロストークノイズのことを考えずに高周波信号を直接伝送ケーブルを利用して電子製品（テレビ、液晶ディスプレイなど）に伝送すると、クロストークノイズによって再生時、画面の辺縁がぼやけたり、コントラストが不鮮明になったりして画質が低下してしまい、現在早急に改善が要求される事態となっている。
【特許文献１】特開２００４−３１２７４３号公報
【考案の開示】
【考案が解決しようとする課題】
【０００６】
本考案の主な目的は、コネクタとケーブルとの間に接続される回路板にフィルタ装置を備え、フィルタ装置上には並列接続された抵抗とコンデンサとが設けられ、並列接続された抵抗およびコンデンサはコネクタとケーブルとの間のインピーダンスを調整し、電圧レベルを減衰させることによって、高周波レベルと低周波レベルとを一致させ続け、さらに、並列接続された抵抗およびコンデンサがケーブルのサイズに合わせてそのインピーダンスを調整できるようにしたことによって、ケーブルの伝送距離を増加させても、インピーダンスの整合を達成できる信号調整装置を提供することにある。
【課題を解決するための手段】
【０００７】
本考案の考案者は上述の問題と欠点とを解決するために、関連資料を収集し、多方面に渡る研究および多年に渡る経験と、幾度もの試作と改良によってついに本考案を完成させた。
【０００８】
請求項１の考案は、高周波信号をより明瞭にできる信号調整装置であって、信号調整装置は、回路板を備え、回路板の上下表面には複数の伝送回路が設置され、伝送回路の一側は高周波コネクタと電気的に接続され、高周波コネクタから離れた他側はケーブルと電気的に接続され、ケーブル内には複数の伝送ケーブルが設置され、各伝送ケーブルは信号ケーブルとアースケーブルとを備え、信号調整装置は、複数のフィルタ装置を備え、フィルタ装置には並列接続された抵抗とコンデンサとが設置され、各フィルタ装置はケーブル内の信号ケーブルと接続された伝送回路と、電気的に接続されていることを特徴とする信号調整装置である。
【０００９】
請求項２の考案は、高周波コネクタは、テレビと接続されることを特徴とする請求項１記載の信号調整装置である。
【考案の効果】
【００１０】
本考案は、回路板上のフィルタ装置に設置された並列接続された抵抗およびコンデンサをケーブルと高周波コネクタとの間に接続することを利用してインピーダンスの特性を調整し、電圧レベルを信号が受信できる範囲内にまで減衰させ、デジタル信号中の高周波レベルと低周波レベルとを一致させ続け、それによってコネクタは信号をさらに明瞭に読み取ることができ、さらに、フィルタ装置はケーブルの長さに応じてそのインピーダンスを調整できるので、ケーブルの伝送距離を増加させても、インピーダンスを整合でき、帯域幅が大きすぎて発生するクロストークノイズを除去でき、再生時、画面の辺縁がぼやけたり、コントラストが不鮮明になったりことがなく、信号を各種の電子製品（テレビ、液晶ディスプレイ）に応用して高品質の映像を表示させることができた。
【考案を実施するための最良の形態】
【００１１】
上述の目的および効果を達成するために本考案において採用した技術手段および構造を説明する好適な実施形態を図に沿って下記に示す。
【００１２】
図１は、本考案を示す斜視図であり、図２は本考案を示す立体分解図である。図からわかるように、本考案による信号調整装置は高周波コネクタ１、回路板２、ケーブル３およびフィルタ装置４から構成される。
【００１３】
高周波コネクタ１は、ハウジング１１が設けられ、ハウジング１１の一端には電子製品と接続されるコネクタ端１１１を備え、コネクタ端１１１の反対側の他端は溶接端１１２であって、ハウジング１１内には複数の導電端子１２が貫設され、導電端子１２の一端は溶接端１１２から突出しており、上下に配列している。
【００１４】
回路板２の上下表面には複数の伝送回路２１が配置され、伝送回路２1表面の一側は高周波コネクタ１と接続され、他端はケーブル３と接続される。
【００１５】
ケーブル３内には複数の伝送ケーブル３１が設置され、各伝送ケーブル３１は信号ケーブル３１１とアースケーブル３１２とを備える。
【００１６】
フィルタ装置４は、回路板２表面の伝送回路２１上に設置でき、フィルタ装置４の表面にはインピーダンスを調整できる並列接続された抵抗４１とコンデンサ４２とが設置され、各フィルタ装置４はケーブル３内の信号ケーブル３１１と高周波コネクタ１の導電端子１２とが接続された伝送回路２１と電気的に接続されている。
【００１７】
本実施形態を組立てるとき、先ず回路板２を高周波コネクタ１の溶接端１１２の上下に配列した導電端子１２間に設置し、導電端子１２を伝送回路２１の一端に溶接し、伝送回路２１の高周波コネクタ１から離れた他端とケーブル３とを溶接して電気的に接続して完成する。
【００１８】
図３は従来技術による高周波伝送ケーブルを示す模式図である。図４は従来技術における高周波伝送時の波形を示す図である。図からわかるように、高周波コネクタ１とケーブル３との間に本考案を接続しない場合、ケーブル３が高周波信号を伝送するとき、各伝送ケーブル３１は距離が近すぎることによりお互いに干渉し合い、デジタル信号中の高周波レベルおよび低周波レベルの差が極めて大きくなってしまい、この信号がケーブル３から伝送ケーブル３１によって直接高周波コネクタ１に伝送された場合、高周波コネクタ１は完全な信号を受信できない。
【００１９】
図５は本考案を示す模式図である。図６は本考案における高周波伝送時の波形を示す図である。図からわかるように、本実施形態を電子製品と接続して高周波信号の伝送を行うとき、回路板２の表面に設置されたフィルタ装置４が並列接続された抵抗４１およびコンデンサ４２を利用して伝送回路２１からの高周波信号を伝送するときに発生する相互干渉を調整して電圧レベルを高周波信号が受信できる範囲内まで減衰させる。それによってデジタル信号中の高周波レベルと低周波レベルとを一致させ続けることができ、この信号を伝送回路２１から高周波コネクタ１に伝送し、高周波コネクタ１にさらにはっきりと信号を読み取らせることができ、信号が高周波コネクタ１から電子製品に伝送されるとき、その信号は非常に明瞭なものとなり、電子製品はさらに美しい画像を再生でき、さらに、ケーブル３の長さに応じて調整されるので、伝送距離を増加させることができる。
【００２０】
電気製品に関しては、高周波信号の伝送時、全体のインダクタンスを考慮する必要があり、抵抗４１およびコンデンサ４２などの係数はインピーダンスが整合しない場合、信号の減衰およびクロストークノイズの問題が発生する。つまり、回路板２の全体の特性インピーダンスはケーブル３の特性インピーダンスと非常に接近したものか、等しいものにする必要があるので、使用者が異なる長さのケーブル３が必要なとき、そのケーブル３の特性インピーダンスは変化が生じる。しかしこのとき、回路板２がフィルタ装置４上に並列接続された抵抗４１とコンデンサ４２とを利用して特性インピーダンスの調整を行うことができるので、回路板２とケーブル３の特性インピーダンスが整合しないことによって信号が減衰したり、クロストークノイズが発生したりするのを防止できる。
【００２１】
本実施形態によると、回路板２上のフィルタ装置４に設置された並列接続された抵抗４１およびコンデンサ４２をケーブル３と高周波コネクタ１との間に接続することを利用してインピーダンスの特性を調整し、電圧レベルを信号が受信できる範囲内にまで減衰させ、デジタル信号中の高周波レベルと低周波レベルとを一致させ続け、それによってコネクタは信号をさらに明瞭に読み取ることができ、さらに、フィルタ装置４はケーブル３の長さに応じてそのインピーダンスを調整できるので、ケーブル３の伝送距離を増加させても、インピーダンスを整合でき、帯域幅が大きすぎて発生するクロストークノイズを除去でき、再生時、画面の辺縁がぼやけたり、コントラストが不鮮明になったりことがなく、信号を各種の電子製品（テレビ、液晶ディスプレイ）に応用して高品質の映像を表示させることができた。
【００２２】
上述の詳細な説明は本考案の好適な実施形態を示すものであり、本考案の請求範囲を限定するものではなく、本考案の技術主旨を逸脱しない範囲での変化や修飾などはすべて本考案の範囲に含まれる。
【００２３】
上述の説明からわかるように、本考案による信号調整装置は明らかに従来技術によるものよりも優れている。
【図面の簡単な説明】
【００２４】
【図１】本考案を示す斜視図である。
【図２】本考案を示す立体分解図である。
【図３】従来技術による高周波伝送ケーブルを示す模式図である。
【図４】従来技術における高周波伝送時の波形を示す図である。
【図５】本考案を示す模式図である。
【図６】本考案における高周波伝送時の波形を示す図である。
【符号の説明】
【００２５】
１      高周波コネクタ
１１    ハウジング
１１１  コネクタ端
１１２  溶接端
１２    導電端子
２      回路板
２１    伝送回路
３      ケーブル
３１    伝送ケーブル
３１１  信号ケーブル
３１２  アースケーブル
４      フィルタ装置
４１    抵抗
４２    コンデンサ
【図１】
0003112509.tif 000003
【図２】
0003112509.tif 000004
【図３】
0003112509.tif 000005
【図４】
0003112509.tif 000006
【図５】
0003112509.tif 000007
【図６】
0003112509.tif 000008